(57)【要約】【課題】棟カバー内に浸入した雨水が、破風板の棟側の面を伝って軒天部材に落下することを抑制することができる、棟カバーの取付構造を提案する。【解決手段】本発明に係る棟カバーの取付構造（１）は、片流れ屋根（２）と破風板（３）と軒天部材（４）と棟カバー（５）を備える。破風板（３）は、片流れ屋根（２）の棟側端部に隣接して設けられる。軒天部材（４）は、破風板（３）よりも下方に設けられる。棟カバー（５）は、片流れ屋根（２）の棟側端部の上方を覆う上カバー部（５０）と、破風板（３）の棟側を覆う中間カバー部（５１）と、軒天部材（４）に接続される底カバー部（５２）とを連続して有する。底カバー部（５２）は、上方に開口した凹状に設けられ、底カバー部（５２）の下部には、排水孔（５３）が設けられる。【選択図】図１
2017172243.tif 000002
【特許請求の範囲】
【請求項１】
野地板とこの上に設けられた屋根材を有する片流れ屋根と、
前記片流れ屋根の棟側端部に隣接して設けられる破風板と、
前記破風板よりも下方に設けられる軒天部材と、
前記片流れ屋根の前記棟側端部と前記破風板を覆う棟カバーと、を備え、
前記棟カバーは、
前記片流れ屋根の前記棟側端部の上方を覆う上カバー部と、
前記上カバー部に連続し、前記破風板の棟側を覆う中間カバー部と、
前記中間カバー部に連続し、かつ前記軒天部材に接続される底カバー部とを有し、
前記底カバー部は、上方に開口した凹状に設けられ、
前記底カバー部の下部には、排水孔が設けられることを特徴とする棟カバーの取付構造。
【請求項２】
前記底カバー部は、
前記軒天部材の上面に沿う取付部をさらに有することを特徴とする請求項１に記載の棟カバーの取付構造。
【発明の詳細な説明】
【技術分野】
【０００１】
本発明は、棟カバーの取付構造に関する。
【背景技術】
【０００２】
特許文献１には、片流れ屋根の棟側端部に隣接して破風板が設けられ、この片流れ屋根の棟側端部と破風板を覆うように棟カバーが設けられた構造が記載されている。
【先行技術文献】
【特許文献】
【０００３】
【特許文献１】特開２０１５−６８０９５号公報
【発明の概要】
【発明が解決しようとする課題】
【０００４】
特許文献１には、破風板よりも下方に軒天部材を設けることが記載されておらず、ましてや、棟カバー内に浸入した雨水が、破風板の棟側の面を伝って軒天部材に落下することを抑制することについての記載もない。
【０００５】
本発明の目的は、棟カバー内に浸入した雨水が、破風板の棟側の面を伝って軒天部材に落下することを抑制することができる、棟カバーの取付構造を提案すること、とする。
【課題を解決するための手段】
【０００６】
本発明に係る一態様の棟カバーの取付構造は、片流れ屋根と、破風板と、軒天部材と、棟カバーと、を備える。
【０００７】
前記片流れ屋根は、野地板とこの上に設けられた屋根材を有する。前記破風板は、前記片流れ屋根の棟側端部に隣接して設けられる。前記軒天部材は、前記破風板よりも下方に設けられる。前記棟カバーは、前記片流れ屋根の前記棟側端部と前記破風板を覆う。
【０００８】
前記棟カバーは、前記片流れ屋根の前記棟側端部の上方を覆う上カバー部と、前記上カバー部に連続し、前記破風板の棟側を覆う中間カバー部と、前記中間カバー部に連続し、かつ前記軒天部材に接続される底カバー部とを有する。
【０００９】
前記底カバー部は、上方に開口した凹状に設けられ、前記底カバー部の下部には、排水孔が設けられる。
【発明の効果】
【００１０】
本発明に係る棟カバーの取付構造では、棟カバー内に浸入した雨水が、破風板の棟側の面を伝って軒天部材に落下することを抑制することができる。
【図面の簡単な説明】
【００１１】
【図１】図１は、本発明に係る実施形態１の棟カバーの取付構造を示す側端面図である。
【図２】図２は、同上の棟カバーの取付構造を示す斜視図である。
【図３】図３は、本発明に係る実施形態２の棟カバーの取付構造を示す側断面図である。
【発明を実施するための形態】
【００１２】
本発明は、一般に、棟カバーの取付構造に関し、より詳細には、片流れ屋根の棟側端部に破風板が設けられ、この破風板よりも下方に軒天部材が設けられた構造における、棟カバーの取付構造に関する。
【００１３】
（実施形態１）
図１には、実施形態１の棟カバーの取付構造１（以下「取付構造１」と記載する）が示されている。取付構造１は、片流れ屋根２と破風板３と軒天部材４と棟カバー５を備える。
【００１４】
片流れ屋根２は、野地板２０とこの上に設けられた屋根材２１を有する。以下では、片流れ屋根２の勾配方向の水上側Ｄ１を棟側とし、その反対の水下側を軒側とし、片流れ屋根２の勾配方向に平面視において直交する方向Ｄ２（図２参照）を軒方向として、各構成について説明する。図１では、矢印Ｄ３で示す方向が上方向である。
【００１５】
取付構造１は、野地板２０を支持する垂木６と、垂木６の棟側の端部を支持する棟木７と、棟木７の棟側に設けられる外壁８と、棟木７の棟側に設けられ、軒天部材４の取り付けに用いられる受け材９をさらに備える。
【００１６】
野地板２０は、垂木６上に設けられた板材である。取付構造１は、野地板２０上に配される防水シート１０をさらに備える。屋根材２１は、防水シート１０を介して野地板２０上に設けられる。
【００１７】
屋根材２１は、図２に示すように、軒方向に凹部と凸部とが繰り返し形成された凹凸屋根材である。屋根材２１は、例えば、金属製である。図１に示すように、取付構造１は、屋根材２１上に配される面戸部材１１をさらに備える。
【００１８】
面戸部材１１は、屋根材２１の凹部内に配される第一立板部１１０と、屋根材２１の凸部上に配される第二立板部１１１とを有する。第一立板部１１０と第二立板部１１１は、軒方向に連続している。面戸部材１１は、立板部１１０，１１１のそれぞれを複数有する。
【００１９】
破風板３は、片流れ屋根２の棟側端部に隣接して設けられている。本実施形態では、破風板３は、垂木６の棟側の端面に固定されており、野地板２０の棟側の端部の下方に位置する。破風板３は、軒方向に長尺な板材であり、片流れ屋根２の軒方向の全長に亘って設けられている。破風板３は、例えば、木材で構成される。
【００２０】
破風板３は、本実施形態では、その軒側の面が、鉛直方向に対して平行となるように設けられている。破風板３の棟側の面上には、上下方向に亘って防水シート１０が配されている。野地板２０上の防水シート１０と、破風板３の軒側の面上の防水シート１０とは連続している。
【００２１】
軒天部材４は、破風板３よりも下方に設けられる。軒天部材４は、軒方向に長尺な矩形状の板材であり、片流れ屋根２の軒方向の全長に亘る長さを有する。軒天部材４は、例えば、木材で構成される。
【００２２】
軒天部材４は、その軒側の端部が、受け材９の下面に取り付けられる。本実施形態では、受け材９の下面は、棟側ほど上方に位置するように傾斜した傾斜面である。そのため、軒天部材４は、棟側ほど上方に位置するように傾いた状態で設置される。本実施形態では、軒天部材４は、その棟側の端部が、破風板３の下方において、破風板３の棟側の面よりも軒側に位置するように、設置されている。
軒天部材４は、例えば、棟カバー５の設置後に設置される。
【００２３】
棟カバー５は、片流れ屋根２の棟側端部と破風板３を覆うように構成されている。棟カバー５は、片流れ屋根２の棟側端部の上方を覆う上カバー部５０と、上カバー部５０に連続し、破風板３の棟側を覆う中間カバー部５１と、中間カバー部５１に連続し、かつ軒天部材４に接続される底カバー部５２とを有する。棟カバー５は、軒方向に長尺な部材であり、片流れ屋根２の軒方向の全長に亘る長さを有する。棟カバー５は、例えば、１枚の金属板をロール成形等によって折り曲げ加工して形成される。
【００２４】
上カバー部５０は、片流れ屋根２の棟側端部の上方に位置する上板部５００と、上板部５００の軒側の端部から垂直に下方に延びた前板部５０１と、前板部５０１の下端部から垂直に軒側に延びた上先端板部５０２とを有する。上板部５００は、軒方向を長手方向とする矩形状の平板であり、片流れ屋根２と平行である。前板部５０１と上先端板部５０２のそれぞれは、軒方向を長手方向とする細長い矩形状の平板である。
【００２５】
取付構造１は、上カバー部５０を片流れ屋根２の棟側端部に取り付けるための、軒棟方向に一対の上取付部材１２，１３と、中間カバー部５１を破風板３に取り付けるための、上下方向に一対の中間取付部材１４，１５とをさらに有する。
【００２６】
取付部材１２，１３，１４，１５のそれぞれは、片流れ屋根２の軒方向の長さに比べて短いピース材である。取付構造１は、取付部材１２，１３，１４，１５のそれぞれを、複数有する。複数の取付部材１２，１３，１４，１５のそれぞれは、軒方向に距離をおいて設置される。取付部材１２，１３，１４，１５のそれぞれの数は、棟カバー５の取付強度を確保できるように、適宜設定される。取付部材１２，１３，１４，１５のそれぞれは、例えば、金属製である。
【００２７】
軒側の上取付部材１２と、棟側の上取付部材１３は、屋根材２１の棟側端部上に、軒棟方向に互いに距離をおいて固定される。上側の中間取付部材１４と、下側の中間取付部材１５は、破風板３の棟側の面上に、上下方向に互いに距離をおいて固定される。
【００２８】
上カバー部５０は、前板部５０１が、上取付部材１２の前面にねじ等の固定具１６で固定され、上板部５００が、上取付部材１２，１３上に載置され、上先端板部５０２が、屋根材２１の凸部上に載置されることで、片流れ屋根２の棟側端部上に設置される。
【００２９】
中間カバー部５１は、上カバー部５０の上板部５００の棟側端から下方に垂下した１枚の矩形状の平板で構成される。中間カバー部５１は、その上半部が片流れ屋根２の棟側を覆い、その下半部が破風板３の棟側を覆う。中間カバー部５１は、鉛直方向に対して平行である。
【００３０】
中間カバー部５１は、その下半部が、上下の中間取付部材１４，１５の棟側の面に固定されることで、破風板３の棟側に設置される。中間カバー部５１の上下の中間取付部材１４，１５への固定は、ねじ等の固定具や接着によって行われる。
【００３１】
底カバー部５２は、棟カバー５のうち、破風板３よりも下方の部分である。底カバー部５２は、上方に開口した凹状に設けられている。底カバー部５２の下部には、排水孔５３が設けられている。本実施形態では、底カバー部５２は、軒天部材４の上面に沿う取付部５４をさらに有する。底カバー部５２は、取付部５４が軒天部材４上に載せられた状態で、軒天部材４に接続される。
【００３２】
底カバー部５２は、中間カバー部５１の下端から下方に延びた後板部５２０と、後板部５２０の下端から軒側に延びた底板部５２１と、底板部５２１の軒側端から上方に延びた下前板部５２２と、下前板部５２２の上端から軒側に延びた下先端板部５２３とを有する。
【００３３】
板部５２０，５２１，５２２，５２３のそれぞれは、軒方向を長手方向とする矩形状の平板で構成される。本実施形態では、後板部５２０は、鉛直方向に対して平行である。底板部５２１は、軒側ほど下方に位置するように傾斜している。下前板部５２２は、軒側ほど上方に位置するように傾斜している。下先端板部５２３は、軒側ほど下方に位置するように傾斜している。
【００３４】
本実施形態では、底板部５２１の軒側の端部が、底カバー部５２のうち、最も下方に位置する部分をなす。そのため、底板部５２１の軒側の端部に、上下方向に貫通する排水孔５３が設けられている。底板部５２１には、複数の排水孔５３が、互いに軒方向に距離をおいて設けられる。排水孔５３の数は、適宜設定される。なお、排水孔５３の位置は、底カバー部５２のうち、最も下方に位置する部分であればよく、底カバー部５２の形状に合わせて適宜設定される。
【００３５】
底カバー部５２は、破風板３の棟側の面の下端の真下に、底板部５２１または下前板部５２２が位置するように設けられる。本実施形態では、破風板３の棟側の面の下端の真下に、下前板部５２２の棟側の端部が位置している。
【００３６】
底カバー部５２は、下先端板部５２３の軒側の部分が、軒天部材４の上面に沿う部分である。この下先端板部５２３の軒側の部分が、ねじ等により軒天部材４の棟側の端部に固定されることで、底カバー部５２は、軒天部材４に接続される。本実施形態では、下先端板部５２３が、底カバー部５２の取付部５４を構成している。
【００３７】
以上説明した本実施形態の取付構造１では、棟カバー５の上カバー部５０の軒側の端部と屋根材２１との間から棟カバー５内に浸入し、破風板３の棟側の面（防水シート１０上）を伝って落下する雨水を、棟カバー５の凹状の底カバー部５２で受けることができる。また、本実施形態の取付構造１では、棟カバー５の中間カバー部５１の軒側の面を伝って落下する雨水も、凹状の底カバー部５２で受けることができる。
【００３８】
そして、本実施形態の取付構造１では、底カバー部５２で受けた雨水を、底カバー部５２の排水孔５３を通じて、外部に排出することができる。これにより、本実施形態の取付構造１では、棟カバー５内に浸入した雨水が、破風板３の棟側の面を伝って軒天部材４上に落下することを抑制することができる。
【００３９】
さらに、本実施形態の取付構造１では、棟カバー５の底カバー部５２の取付部５４（下先端板部５２３）が、軒天部材４の上面に沿うため、雨水を受ける底カバー部５２を軒天部材４で支持することができる。
【００４０】
（変更例）
以上説明した本実施形態の取付構造１は、下記の変更例を採用可能である。
【００４１】
破風板３は、片流れ屋根２の棟側端部に隣接して位置すればよく、片流れ屋根２の棟側に破風板３の上端部が位置するように設けられてもよい。
【００４２】
破風板３は、鉛直方向に対して平行に設けられなくてもよく、その棟側の面が、棟側ほど下方に位置するように傾斜させて設けられてもよいし、棟側ほど上方に位置するように傾斜させて設けられてもよい。
【００４３】
排水孔５３の形成部位は、底カバー部５２のうちの下部（底部）であればよく、底板部５２１に限らず、下前板部５２２や後板部５２０でもよい。
【００４４】
軒天部材４は、その一部が破風板３の棟側の面の下端の真下に、底カバー部５２の下前板部５２２を介して位置するように設置されてもよい。
【００４５】
（実施形態２）
続いて、本発明に係る実施形態２の棟カバーの取付構造１ａ（以下「取付構造１ａ」と記載する）について説明する。以下では、取付構造１ａについて、実施形態１の取付構造１と同様の構成については図中に同じ符号を付して詳しい説明を省略し、実施形態１の取付構造１と異なる構成については詳しく説明する。
【００４６】
図３に示すように、取付構造１ａは、棟カバー５ａの構造が、実施形態１の棟カバー５の構造と異なる。また、取付構造１ａでは、破風板３は、その上端部が片流れ屋根２の棟側に並ぶように、垂木６に固定されている。
【００４７】
棟カバー５ａは、片流れ屋根２の棟側端部の上方を覆う上カバー部５０ａと、上カバー部５０ａに連続し、破風板３の棟側を覆う中間カバー部５１ａと、中間カバー部５１ａに連続し、かつ軒天部材４に接続される底カバー部５２ａとを有する。
【００４８】
上カバー部５０ａは、実施形態１の上カバー部５０と同様の構造である。つまり、上カバー部５０ａは、上板部５００と、前板部５０１と、上先端板部５０２とを有する。
【００４９】
中間カバー部５１ａは、その上下方向の一部に、破風板３に対して固定される固定部５５を有している。固定部５５は、棟側に開口した凹状に設けられている。中間カバー部５１ａは、固定部５５を２つ有しており、２つの固定部５５は、互いに上下方向に離れて位置している。本実施形態では、上側の固定部５５は、破風板３の上端部と同じ高さ位置にあり、下側の固定部５５は、破風板３の下端部と同じ高さ位置にある。
【００５０】
中間カバー部５１ａは、軒方向の全長に亘って一定の断面形状を有する。つまり、２つの固定部５５のそれぞれは、中間カバー部５１ａの軒方向の全長に亘って位置する。
【００５１】
２つの固定部５５のそれぞれは、鉛直方向に対して平行な底壁部５５０と、底壁部５５０の上端から棟側に延びた上壁部５５１と、底壁部５５０の下端から棟側に延びた下壁部５５２とを有する。底壁部５５０、上壁部５５１、下壁部５５２のそれぞれは、軒方向を長手方向とする細長い矩形状の平板である。
【００５２】
２つの固定部５５のそれぞれの底壁部５５０に、棟側からねじ等の固定具１７が打ち込まれることによって、中間カバー部５１ａは、破風板３の棟側に設置される。そのため、取付構造１ａは、実施形態１の取付構造１の中間取付部材１４，１５に相当する構成を有していない。
【００５３】
底カバー部５２ａは、中間カバー部５１ａの下側の固定部５５の下壁部５５２の棟側端から下方に延びた後板部５２０ａと、後板部５２０ａの下端から軒側に延びた底板部５２１ａと、底板部５２１ａの軒側端から上方に延びた下前板部５２２ａとを有する。底カバー部５２は、実施形態１の下先端板部５２３に相当する構成を有していない。
【００５４】
後板部５２０ａは、鉛直方向に対して平行である。底板部５２１ａは、軒側ほど下方に位置するように傾斜している。下前板部５２２ａは、軒側ほど上方に位置するように傾斜している。底板部５２１ａの軒側の端部に、上下方向に貫通する排水孔５３が設けられている。
【００５５】
底カバー部５２ａは、破風板３の棟側の面の下端の真下に、底板部５２１ａが位置するように設けられている。底カバー部５２ａは、下前板部５２２ａの上端部が、軒天部材４の棟側の端面に固定されることで、軒天部材４に接続される。
【００５６】
以上説明した本実施形態の取付構造１ａにおいても、棟カバー５ａ内に浸入し、破風板３の棟側の面（防水シート１０上）を伝って落下した雨水を、棟カバー５ａの凹状の底カバー部５２ａで受けることができる。そして、本実施形態の取付構造１ａでは、底カバー部５２ａで受けた雨水を、底カバー部５２ａの排水孔５３を通じて、外部に排出することができる。これにより、本実施形態の取付構造１ａでは、棟カバー５ａ内に浸入した雨水が、破風板３の棟側の面を伝って軒天部材４上に落下することを抑制することができる。
【００５７】
（変更例）
以上説明した本実施形態の取付構造１ａについても、上述した実施形態１の取付構造１と同様の変更例を採用可能である。
【００５８】
（効果）
以上述べた実施形態１，２から明らかなように、本発明に係る第１の態様の棟カバー（５，５ａ）の取付構造（１，１ａ）は、片流れ屋根（２）と破風板（３）と軒天部材（４）と棟カバー（５，５ａ）を備える。片流れ屋根（２）は、野地板（２０）とこの上に設けられた屋根材（２１）を有する。破風板（３）は、片流れ屋根（２）の棟側端部に隣接して設けられる。軒天部材（４）は、破風板（３）よりも下方に設けられる。棟カバー（５，５ａ）は、片流れ屋根（２）の棟側端部の上方を覆う上カバー部（５０，５０ａ）と、上カバー部（５０，５０ａ）に連続し、破風板（３）の棟側を覆う中間カバー部（５１，５１ａ）とを有する。さらに、棟カバー（５，５ａ）は、中間カバー部（５１，５１ａ）に連続し、かつ軒天部材（４）に接続される底カバー部（５２，５２ａ）を有する。底カバー部（５２，５２ａ）は、上方に開口した凹状に設けられ、底カバー部（５２，５２ａ）の下部には、排水孔（５３）が設けられる。
【００５９】
第１の態様によれば、棟カバー（５，５ａ）内に浸入し、破風板（３）の棟側の面を伝って落下する雨水を、棟カバー（５，５ａ）の凹状の底カバー部（５２，５２ａ）で受けて、底カバー部（５２，５２ａ）の下部の排水孔（５３）から排出することができる。これにより、第１の態様によれば、棟カバー（５，５ａ）内に浸入した雨水が、破風板（３）の棟側の面を伝って軒天部材（４）に落下することを抑制することができる。
【００６０】
また、本発明に係る第２の態様の棟カバー（５）の取付構造（１）では、第一の態様において、底カバー部（５２）は、軒天部材（４）の上面に沿う取付部（５４）をさらに有する。
【００６１】
第２の態様によれば、雨水を受ける底カバー部（５２）を、軒天部材（４）によって支持することができる。
【００６２】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００６３】
１      棟カバーの取付構造
１ａ    棟カバーの取付構造
２      片流れ屋根
２０    野地板
２１    屋根材
３      破風板
４      軒天部材
５      棟カバー
５０    上カバー部
５０ａ  上カバー部
５１    中間カバー部
５１ａ  中間カバー部
５２    底カバー部
５２ａ  底カバー部
５３    排水孔
５４    取付部
【図１】
2017172243.tif 000003
【図２】
2017172243.tif 000004
【図３】
2017172243.tif 000005